(57)【要約】【課題】小型化ができる配線接続構造を有する表示装置を提供する。【解決手段】配線板９の先端部に光源１ａと１ｂが実装されており、配線板９が、光源１ａ、１ｂの上に被さるように折り曲げられ、第１のフレーム６の内側から外側方向に折り返され、第１のフレーム６の外側に引き出される。折り曲げられた配線板９の反射体３の上部に位置する部分に、位置決め穴３１ａと３１ｂが設けられ、反射体３の対応する位置に、位置決め用の突出部３２ａと３２ｂが設けられている。突出部３２ａと３２ｂを位置決め穴３１ａと３１ｂに挿入して配線板９の位置決めをする。反射体３の周辺に配線を配置するスペースは必要がないので、第１のフレーム６の外形サイズを小さくすることができる。【選択図】図１
2004053905.tif 000002
【特許請求の範囲】
【請求項１】
光源と、
表示素子と、
前記光源からの光を導光し、前記表示素子に照射する導光手段と、
端部に前記光源が取り付けられ、前記光源に接続する配線が配設された配線板と
を有し、
前記配線板が前記光源を巻き込むように折り返されている
表示装置。
【請求項２】
前記導光手段は、
前記光源が配置された側面である入射面から入射された前記光源の光を、出射面から射出する第１の導光体と、
前記第１の導光体の出射面に隣接して配置され、前記第１の導光体の出射面から射出される光を前記表示素子に射出する第２の導光体と
を有する
請求項１記載の表示装置。
【請求項３】
前記第１の導光体の前記入射面と出射面を除く側面を囲む反射体を有し、
前記配線板の一部は、前記反射体と重なっている
請求項２記載の表示装置。
【請求項４】
前記配線板に形成された第１の係止部と、
前記反射体の所定の位置に形成された、前記第１の係止部と係止可能な第２の係止部と
を有し、
前記第１の係止部と前記第２の係止部とが係止状態に保持されて、前記配線板の一部と前記反射体とが重なった状態で保持される
請求項３記載の表示装置。
【請求項５】
前記第１の係止部は、位置決め穴を含み、
前記第２の係止部は、前記位置決め穴に挿入可能な突出部を含み、
前記突出部を前記位置決め穴に挿入して、前記第１の係止部と前記第２の係止部とを係止状態に保持する
請求項４記載の表示装置。
【請求項６】
前記光源及び前記配線板を取り付けた前記導光体を収納するフレームを有し、前記配線板の一部は、前記フレームの前記光源と隣接する側壁の一部と重なっている
請求項２記載の表示装置。
【請求項７】
前記配線板に形成された第１の係止部と、
前記フレームの前記側壁の所定の位置に形成された、前記第１の係止部と係止可能な第２の係止部と
を有し、
前記第１の係止部と前記第２の係止部とが係止状態に保持され、前記配線板の一部と前記フレームの前記側壁の一部とが重なっている
請求項６記載の表示装置。
【請求項８】
前記第１の係止部は、位置決め穴を含み、
前記第２の係止部は、前記位置決め穴に挿入可能な突出部を含み、
前記突出部を前記位置決め穴に挿入し、前記第１の係止部と前記第２の係止部とを係止状態に保持する
請求項７記載の表示装置。
【発明の詳細な説明】
【０００１】
【発明の属する技術分野】
本発明は、表示装置に関する。
【０００２】
【従来の技術】
液晶表示装置は、薄型で低消費電力であるという特徴を生かして、ディジタルカメラ、携帯情報端末（Ｐｅｒｓｏｎａｌ　Ｄｉｇｉｔａｌ　Ａｓｓｉｓｔａｎｔ：ＰＤＡ）、携帯電話、ノート型パーソナルコンピュータ、カーナビゲーション用の表示装置等に広く用いられている。このような液晶表示装置には、大きく分けて、バックライトと呼ばれる内部光源からの光の透過と遮断とを液晶パネルで制御して表示を行なう透過型の液晶表示装置と、太陽光などの外光を反射板などで反射して、この反射光の透過と遮断とを液晶パネルで制御して表示を行なう反射型、また、最近は、その両者の特徴を併せ持つ併用型と呼ばれる表示装置がある。
透過型の液晶表示装置においては、バックライトを使用することから、消費電力を低減することが難しい。また、透過型の液晶表示装置には、周囲の光が明るい場合には表示が暗く見え、視認性が低下するという問題もある。一方、反射型の液晶表示装置においては、バックライトを設けていないため、消費電力の増加という問題はないが、周囲の光が暗い場合には、視認性が極端に低下するという問題もある。
【０００３】
このような透過型、反射型の表示装置の双方の問題点を解消する液晶表示装置として、透過型表示と反射型表示と両方を一つの液晶パネルで実現する反射透過併用型の液晶表示装置が知られている。この反射透過併用型の液晶表示装置では、周囲が明るい場合には周囲光の反射によって表示を行ない、周囲が暗い場合には、バックライトの光によって表示を行なう。
しかし、反射透過併用型の液晶表示装置は、透過型表示と反射型表示の両方を兼ね備えているとされながら、通常の反射型及び通常の透過型の液晶表示装置より、輝度が不足しており、視認性が低いという問題があった。
また、反射透過併用型の液晶表示装置においては、十分な明るさで照明するために、通常の透過型の液晶表示装置に比べて高い輝度の光源が必要であり、その結果、消費電力をさらに低減することが難しい。
【０００４】
以上の問題点を解消するため、液晶表示装置の観察者側に照明装置を配設する構造の液晶装置、いわゆるフロントライト方式の液晶装置が提案された。そのような液晶装置では、一対の基板が液晶層を挟まってなる液晶パネルの観察者側に光源が配設され、液晶パネルの観察者と反対側に光反射板が配設されるか、または、液晶パネル内に反射層が形成されている。光源と液晶層の間の光路に、複数のプリズムが形成された側面を有する棒状の導光体及び平面状導光体が配置されている。点光源であるフロントライトからの照明光は、棒状の導光体の内部に全反射しながら伝播し、棒状導光体のプリズムが形成された側面に到達した時に平面状導光体に出射する。棒状の導光体により平面内に集光された照明光は、平面状導光体の端部から入射し、平面状導光体の内部に全反射しながら伝播し、平面状導光体のプリズムが形成された側面に到達した時に液晶パネル方向に出射し、液晶パネル全面を照明する。
【０００５】
このようなフロントライト液晶表示装置は、屋外等といった外光がある所では透光性の平面状導光体を通過する光によって反射型液晶装置として利用され、外光が少ない所では光源を点灯して照明光による反射型液晶装置として利用される。このフロントライト液晶表示装置を用いると、反射透過併用型液晶表示装置に使われている半透過タイプの光反射板を使用する必要が無くなるので、反射表示時に明るい表示を行なうことができる。
【０００６】
図９は、表示装置の従来例として、従来のフロントライト方式の液晶表示装置の構成の一例を示す。
図９（ａ）は、液晶表示装置のフロントライト部の分解斜視図であり、図９（ｂ）は、液晶表示装置のフロントライト部を液晶パネル側から見た平面図である。
図９（ａ）と（ｂ）に示された液晶表示装置は、光源１０１ａ、１０１ｂと、光源１０１ａ、１０１ｂからの光を導光して線状に集光する第１の導光体１０２と、第１の導光体１０２からの漏洩光を第１の導光体１０２に反射させる反射体１０３と、第１の導光体１０２から入射される線状の光束を導光し、液晶パネル全面に照射する第２の導光体１０４と、図９（ａ）において第２の導光体１０４の上方に配置されている不図示の液晶パネルと、上記の構成成分を収納するフレーム１０６、光源１０１ａ、１０１ｂに駆動信号を供給する配線が形成されている配線板１０９とを有する。
【０００７】
図９（ａ）において、光源１０１ａと１０１ｂが配線板１０９の２つの両先端に実装され、第１の導光体１０２の両端部近傍に取り付けられ、反射体１０３は第１の導光体１０２を囲むように設置され、第２の導光体１０４は、光入射面としての側面が、第１の導光体１０２の光出射面としての側面と近接して配置され、フレーム１０６にセットされる。
【０００８】
【発明が解決しようとする課題】
しがしながら、図９（ａ）と（ｂ）に示すように、光源１０１ａと１０１ｂが実装された配線板９の配線は、第２の導光体１０２と反射体１０３の周辺に配置されて引き出される。第１の導光体１０２とフレーム１０６の間に配線板１０９が通されるので、配線板１０９の幅の分、フレーム１０６の外形サイズを広げる必要がある。ある程度の輝度を確保するために、この導光体を小型化することは実用上困難であるから、配線板１０９の配置スペースにより、表示装置の外形サイズが大きくなり、小型化の弊害となる。
【０００９】
ところで、表示装置をディジタルカメラや、携帯電話など外形サイズの小さい電気機器に用いられる場合は、表示装置の小型化が課題であり、表示装置のサイズを縮小することが望ましい。
【００１０】
本発明は、上記の課題を鑑みてなされ、その目的は、小型化ができる配線接続構造を有する表示装置を提供することにある。
【００１１】
【課題を解決するための手段】
本発明の表示装置は、光源と、表示素子と、前記光源からの光を導光し、前記表示素子に照射する導光手段と、端部に前記光源が取り付けられ、前記光源に接続する配線が配設された配線板とを有し、前記配線板が前記光源を巻き込むように折り返されている。
前記導光手段は、前記光源が配置された側面である入射面から入射された前記光源の光を、出射面から射出する第１の導光体と、前記第１の導光体の出射面に隣接して配置され、前記第１の導光体の出射面から射出される光を前記表示素子に射出する第２の導光体とを有する。
【００１２】
前記第１の導光体の前記入射面と出射面を除く側面を囲む反射体を有し、前記配線板の一部は、前記反射体と重なっている。
前記配線板に形成された第１の係止部と、前記反射体の所定の位置に形成された、前記第１の係止部と係止可能な第２の係止部とを有し、前記第１の係止部と前記第２の係止部とが係止状態に保持されて、前記配線板の一部と前記反射体とが重なった状態で保持される。
前記第１の係止部は、位置決め穴を含み、前記第２の係止部は、前記位置決め穴に挿入可能な突出部を含み、前記突出部を前記位置決め穴に挿入して、前記第１の係止部と前記第２の係止部とを係止状態に保持する。
【００１３】
前記光源及び前記配線板を取り付けた前記導光体を収納するフレームを有し、前記配線板の一部は、前記フレームの前記光源と隣接する側壁の一部と重なっている。
前記配線板に形成された第１の係止部と、前記フレームの前記側壁の所定の位置に形成された、前記第１の係止部と係止可能な第２の係止部とを有し、前記第１の係止部と前記第２の係止部とが係止状態に保持され、前記配線板の一部と前記フレームの前記側壁の一部とが重なっている。
前記第１の係止部は、位置決め穴を含み、前記第２の係止部は、前記位置決め穴に挿入可能な突出部を含み、前記突出部を前記位置決め穴に挿入し、前記第１の係止部と前記第２の係止部とを係止状態に保持する。
【００１４】
上記の本発明によれば、光源用配線板を光源を巻き込むように折り返し、表示装置の外に引き出す。折り返された配線板を表示装置の外へ引き出す際、曲げ位置のバラツキによって配線板の先端が振れないよう、配線板に位置決め開口部を設け、表示装置内でその開口部に収まる突出部を設け、当該開口部と突出部により位置決めを行なう。
【００１５】
【発明の実施の形態】
以下、本発明の表示装置の実施の形態について、添付の図面を参照して述べる。
本発明の表示装置の一例として、フロント方式を採用した液晶表示装置を用いて説明をする。
第１の実施形態
図１は、本実施形態の表示装置の構成を示す図である。
図１（ａ）は、本実施形態の表示装置のフロントライト部の分解斜視図であり、図１（ｂ）は、表示装置のフロントライト部を液晶パネル側から見た平面図である。図２は、本実施形態の表示装置の断面図である。
図１（ａ）と図２に示すように、本実施形態の表示装置は、光源１ａ、１ｂと、光源１ａ、１ｂからの光を導光し線状に集光する第１の導光体２と、第１の導光体２からの漏洩した光を再度第１の導光体２に反射させる反射体３と、第１の導光体２から入射される線状の光束を導光し液晶パネル全面に照明光として照射する第２の導光体４と、第２の導光体４の上方に配置され、第１の透明基板５ａと、第２の透明基板５ｂと、透明基板５ａ、５ｂに挟まれた不図示の液晶層と、偏光板５ｃとから構成された液晶パネル５と、光源１ａ、１ｂ、第１の導光体２、反射体３、第２の導光体４、及び液晶パネル５を後記形態で収納する第１のフレーム６、以上の構成を取り付けた第２のフレーム７と、第１のフレーム６に設けられた透明カバー８と、光源１ａ、１ｂに駆動信号を供給する配線が形成されている配線板９と、液晶パネル５に画像信号に応じた駆動電圧を印加する配線が配設されている配線板１０とを有する。
【００１６】
図２において、両面テープなどの接着剤を用いて、構成部品を固定している。また、複数のスペーサや、気密性を高めるシートが設けられている。
例えば、第２の透明基板５ｂ上、液晶層の下に、入射された光を液晶層に反射させる反射膜が設けられている。
【００１７】
次に、図１と図２に示された各構成成分について説明する。
図２に示すように、光源１ａ，１ｂは、液晶パネル５の観察者側（図２で下方）に配設されており、いわゆるフロントライト式液晶表示装置である。
例えば、ＬＥＤ（Ｌｉｇｈｔ　Ｅｍｉｔｔｉｎｇ　Ｄｉｏｄｅ）からなる光源１ａ、１ｂが点光源として機能し、第１の導光体２が線光源として機能し、第２の導光体４が面光源として機能する。
【００１８】
第１の導光体２は方形な棒状をなし、その長軸方向の両端部に近接して光源１ａ、１ｂが配置されている。第１の導光体２の長軸方向の両端部を入射面として、光源１ａ、１ｂが第１の導光体２に光を入射する。
反射体３は第１の導光体２の入射面と出射面を除く第１の導光体２の各側面を囲むように設置され、第１の導光体２から漏洩した光を再度第１の導光体２に反射させる。
第２の導光体４は、第１の導光体２の出射面と近接して配置され、第１の導光体２が出射面に集光された光を、近接する第２の導光体４の側面を入射面として第２の導光体４に入射し、液晶パネル５に導光してその全面に照射する。
【００１９】
図３は、第１の導光体２と第２の導光体４の導光機能を説明する図である。
図３に示すように、第１の導光体２の第２の導光体４と相対側面と対向する側面２ａに、第１の導光体２内に伝播される光を第２の導光体４の光入射側に反射させるプリズムとしての機能を持った複数の斜面が形成されている。また、第２の導光体４の液晶パネル５と相対する面と対向する側面４ａにも、第２の導光体４内に伝播される光を液晶パネル５側に反射させるプリズムとしての機能を持った角度の異なる斜面が形成されている。側面２ａの斜面が、第１の導光体２内に伝播し、側面２ａに到達した光を第２の導光体４の方向に反射させ、また、側面４ａの一部の斜面が、第２の導光体４内に入射されて、側面４ａに到達した光を液晶パネル５の方向に反射させる。
【００２０】
光源１ａ、１ｂからの光は、第１の導光体２の両端面から第１の導光体２の内部に入射する。第１の導光体２の周辺媒質が空気であるものとし、第１の導光体２の屈折率が１．５程度であるとすると、光源１ａ、１ｂから射出され、第１の導光体２の内部に入射された光は、第１の導光体２の側面２ａに対する入射角が約４１．８°以上となる場合、第１の導光体２の側面で全反射する。
照明光は、第１の導光体２の内部に全反射しながら伝播し、側面２ａに所定角度の斜面で全反射すると、第２の導光体４の方向に反射されて、第２の導光体４に入射する。
【００２１】
同じように、第２の導光体４の内部に入射された光は、第２の導光体４の側面４ａに対する入射角が約４１．８°以上となると、第２の導光体４の側面で全反射する。照明光は、第２の導光体４の内部に全反射しながら伝播し、側面４ａに所定角度の斜面で全反射すると、液晶パネル５の方向に反射されて、照明光として液晶パネル５に入射する。
【００２２】
配線板９より光源１ａ、１ｂに、配線板１０より液晶パネル５に駆動信号を供給する。
配線板１０のフレーム６外の部分の端部に、光源１ａ、１ｂと液晶パネル５に供給する全部の信号を外部機器から入力する端子が並列に形成される。それらの端子に続き、配線板１０上に、液晶パネル５に駆動信号を供給するプリント配線と、光源１ａ、１ｂに駆動信号を供給するプリント配線とが並列に形成される。液晶パネル用配線は液晶パネル５まで延伸される。
配線板１０の所定の位置に２つの配線接続用パッドが配置されており、２本の光源用配線は、そのパッドに接続している。
配線板９と配線板１０は、例えば、２枚の厚さが２５μｍのポリイミド膜に、厚さが約１８μｍの銅箔を挟んで形成され、フレキシブルな薄膜である。
【００２３】
一方、配線板９に、光源１ａ、１ｂに駆動信号を供給する２本の配線が形成されており、その配線の一方が光源１ａ、１ｂに接続している。配線板９のフレーム６外の部分の端部に、配線接続用２つのパッドが配置されており、２本の配線がそのパッドに接続している。
配線板９上のパッドと配線板１０上のパッドとを半田で接合することによって、外部装置から配線板１０と配線板９を経由して、光源１ａ、１ｂに駆動信号を供給する配線が形成される。
【００２４】
図１に示すように、配線板９上の配線を光源に導くために、配線板９が分岐され、それぞれ光源１ａ、１ｂに接続する。配線板９の先端部に光源１ａと１ｂが実装されており、配線板９が、光源１ａ、１ｂ上に被さるように、第１のフレーム６の内側から外側方向に折り返され、第１のフレーム６の外側に引き出されている。
【００２５】
折り曲げられた配線板９の一部は、反射体３の上部に位置し、配線板９のその部分に、位置決め穴３１ａと３１ｂが設けられている。反射体３の対応する位置に、位置決め用の突出部３２ａと３２ｂが設けられている。突出部３２ａと３２ｂを位置決め穴３１ａと３１ｂに挿入して配線板９の位置決めをする。
配線板９は、配線板９の裏に貼付されている接着剤、もしくは両面接着テープによって固定される。
図１（ｂ）に示すように、反射体３の周辺に配線板９を配置するスペースは必要がないので、第１のフレーム６の外形サイズを小さくすることができる。
【００２６】
図１と図２に示された各構成成分及び表示装置は、図４と図５のように組み立てられる。
図４と図５は、本実施形態の表示装置の分解斜視図である。
まずは、光源１ａ、１ｂを配線板９の先端に実装し、第１の導光体２を反射体３の横から反射体３に設置する。
続いて、図４（ａ）に示す状態で、光源１ａ、１ｂと配線板９を第１の導光体２の両端に設置し、例えば、両面テープで固定する。
この時、配線板９の光源１ｂが実装された先端を、第１の導光体２を反射体３に設置する前に反射体３上に設置し、例えば、両面テープで固定しておいても良い。
次に、配線板９の先端を折り曲げて、突出部３２ａ、３２ｂを位置決め穴３１ａ、３１ｂに嵌めて、そして、反射体の上に例えば両面テープで配線板９を接着する。
【００２７】
続いて、反射体３の下部に接着用の両面テープを貼り付け、カバー８を接着するテープを第１のフレーム６に貼り付け、第２の導光体４と第１のフレーム６と接着するテープを第１のフレーム６に貼り付けた後、図４（ｂ）のように、反射体３の組立物を第１のフレーム６の中に第２のフレーム７上に貼り付ける。
続いて、図５に示すように、第２の導光体４を第１のフレーム６に組込み、最後に、カバー８を第１のフレーム６に貼り付ける。
【００２８】
次に、主に図２と図３を用いて本実施形態の表示装置の動作を説明する。
外光による照明の場合、その外光が透明カバー８及び透明の第２の導光体４を通し、液晶パネル５に照射し、図示しない反射層によって反射され、配線板１０から入力された画像信号に応じた駆動電圧を印加された液晶層に変調されて、透明カバー８側にいる観察者に画像を表示することができる。
【００２９】
光源１ａ、１ｂによる照明の場合、配線板９から入力された駆動信号によって光源１ａ、１ｂが点灯され、その照明光が第１の導光体２の両端部から第１の導光体２の内部に入射し、第１の導光体２の内部に全反射しながら伝播し、第１の導光体２の斜面が形成された側面で反射され、隣接する第２の導光体４の側面全面に出射し、第２の導光体４の内部に全反射しながら伝播し、第２の導光体４の斜面が形成された側面で液晶パネル方向に反射され、液晶パネル全面を照明する。
同じように、液晶パネル５に照射した照明光は、図示しない反射層によって反射され、配線板１０から入力された画像信号に応じた駆動電圧を印加された液晶層に変調されて、透明カバー８側にいる観察者に画像を表示する。
なお、外光がある場合に光源１ａ、１ｂを点灯させてもよい。
【００３０】
本実施形態によれば、配線板９を光源を巻き込むように折り返し、フレームの外に引き出すことから、反射体３の周辺に配線を配置するスペースがないので、第１のフレーム６の外形サイズを小さくすることができる。
配線板９に位置決め開口部、反射体３にその開口部に収まる突出部を設け、当該開口部と突出部により位置決めを行なうことから、配線板９の曲げ位置のバラツキによって配線板９の先端が振れずに、配線板の先端位置の位置制度を高めることができる。
【００３１】
第２の実施形態
本実施形態に係る表示装置の基本構成は第１の実施形態で示したものと同じである。ただし、本実施形態における配線板の配置が第１の実施形態と異なる。
具体的に、配線板を外に引き出す時に、第１のフレームの側壁において位置決めを行なう。
図６は、本発明の第２の実施形態に係る表示装置における配線構造を示す図である。図６（ａ）は、本実施形態に係る表示装置のフロントライト部の分解斜視図であり、図６（ｂ）は、本実施形態に係る表示装置のフロントライト部を液晶パネル側から見た平面図である。なお、本実施形態において、第１の実施形態と同じ構成成分に同じ符号を用い、重複する説明を省略する。
【００３２】
図６（ａ）に示すように、配線板９の先端部に光源１ａと１ｂが実装されている。配線板９が光源１ａ、１ｂ上に被さるように折り曲げられ、第１のフレーム６の内側から外側方向に折り返され、第１のフレーム６の外側に引き出される。
折り曲げられた配線板９の第１のフレーム６の側壁の上部に位置する部分に、位置決め穴３３ａと３３ｂが設けられている。一方、第１のフレーム６の側壁の対応する位置に、位置決め用の突出部３４ａと３４ｂが設けられている。突出部３４ａと３４ｂを位置決め穴３３ａと３３ｂに挿入して配線板９の位置決めをする。
図６（ｂ）に示すように、第１の実施形態と同じように、反射体３の周辺に配線を配置するスペースは必要がないので、第１のフレーム６の外形サイズを小さくし、小型化ができる。
【００３３】
本実施形態によれば、表示装置のフレームの外形サイズを小さくすることができ、配線板の位置決めを精度良く行なえる。
【００３４】
第３の実施形態
本実施形態に係る表示装置の基本構成は第１と第２の実施形態で示したものと同じである。ただし、本実施形態における光源は一つのみ設けられている。
本実施形態において、前述した実施形態と同じ構成成分に同じ符号を用いる。
図７は、本発明の第３の実施形態に係る表示装置における配線構造を示す図である。
図７において、光源１が反射体３に囲まれた第２の導光体２の端部に取り付けられており、該第２の導光体２は第１の導光体４の側面と隣接して配されている。
【００３５】
配線板９は、光源１上に被さるように折り曲げられ、第１のフレーム６の内側から外側方向に折り返され、第１のフレーム６の外側に引き出される。
折り曲げられた配線板９の第１のフレーム６の側壁の上部に位置する部分に、位置決め穴３５が設けられている。一方、第１のフレーム６の側壁の対応する位置に、位置決め用の突出部３６が設けられている。突出部３６を位置決め穴３５に挿入して配線板９の位置決めをする。
図７に示すように、反射体３の周辺に配線を配置するスペースが必要はないので、第１のフレーム６の外形サイズが小さくなり、小型化ができる。
【００３６】
第４の実施形態
本実施形態に係る表示装置の基本構成は第３の実施形態で示したものと同じである。ただし、本実施形態の表示装置において、配線板９は折り返された後に、直角に曲げられて、外に引き出される。本実施形態においても、前述した実施形態と同じ構成成分に同じ符号を用いる。
図８は、本実施形態係る表示装置の配線構造を示す図である。
同じように、図８において光源が一つしかない。光源１が反射体３に囲まれた第２の導光体２の端部に取り付けられており、該第２の導光体２は第１の導光体４の側面と隣接して配されている。
配線板９は、光源１上に被さるように曲げられ、第１のフレーム６の内側から外側方向に折り返され、そして、第１のフレーム６の内部で直交する方向に折り曲げられ、第１のフレーム６の外側に引き出される。
折り曲げられた配線板９の第１のフレーム６の側壁の上部に位置する部分に、位置決め穴３５が設けられている。一方、第１のフレーム６の側壁の対応する位置に、位置決め用の突出部３６が設けられている。突出部３６を位置決め穴３５に挿入して配線板９の位置決めをする。
図８に示すように、反射体３の周辺に配線を配置するスペースは必要がないので、第１のフレーム６の外形サイズを小さくすることができる。
【００３７】
本実施形態によれば、表示装置のフレームの外形サイズを小さくすることができ、配線板の位置決めを精度良く行なえる。
【００３８】
以上、本発明を好ましい実施の形態に基づき説明したが、本発明は以上に説明した実施の形態に限られるものではなく、本発明の要旨を逸脱しない範囲で、種々の改変が可能である。
以上の実施形態で説明した表示装置は、一例としてフロントライト方式の液晶表示装置を用いたが、本発明は、このような表示装置に限定されず、他の液晶を用いない表示装置にも適用できる。
【００３９】
【発明の効果】
本発明によれば、配線板を光源を巻き込むように折り返し、外部に引き出すことによって、光源のすぐ近くまで表示装置の外形を詰めることが出来、装置の小型化を図ることが出来る。
また、配線板を曲げて光源上を通すことで、配線板の配線長さが長くなるのを抑えることが出来、表示装置の小型化を、配線板サイズの増大を抑えながら実現できるため、部品のコストアップも発生しない。
【図面の簡単な説明】
【図１】本発明の第１の実施形態に係る表示装置の構成を示す図である。
【図２】本発明の第１の実施形態に係る表示装置の断面図である。
【図３】本発明の第１の実施形態に係る表示装置において、導光板の機能を示す断面図である。
【図４】本発明の第１の実施形態に係る表示装置の組立て方法を示す図である。
【図５】図４に続いて、本発明の第１の実施形態に係る表示装置の組立て方法を示す図である。
【図６】本発明の第２の実施形態に係る表示装置において、光源用配線板の配置構造を示す図である。
【図７】本発明の第３の実施形態に係る表示装置において、光源用配線板の配置構造を示す図である。
【図８】本発明の第４の実施形態に係る表示装置において、光源用配線板の配置構造を示す図である。
【図９】従来の表示装置において、装置外形のサイズを増大させる光源用配線板の配置構造の一例を示す。
【符号の説明】
１、１ａ、１ｂ…光源、２…第１の導光体、２ａ…第１の導光体の側面、３…反射体、４…第２の導光体、４ａ…第２の導光体の側面、５…液晶パネル、５ａ…第１の透明基板、５ｂ…第２の透明基板、５ｃ…偏光板、６…第１のフレーム、７…第２のフレーム、８…透明カバー、９…配線板、１０…配線板、３１ａ、３１ｂ…位置決め穴、３２ａ、３２ｂ…突出部、３３ａ、３３ｂ…位置決め穴、３４ａ、３４ｂ…突出部、３５…位置決め穴、３６…突出部、１０１ａ、１０１ｂ…光源、１０２…第１の導光体、１０３…反射体、１０４…第２の導光体、１０６…フレーム、１０９…配線板。
【図１】
2004053905.tif 000003
【図２】
2004053905.tif 000004
【図３】
2004053905.tif 000005
【図４】
2004053905.tif 000006
【図５】
2004053905.tif 000007
【図６】
2004053905.tif 000008
【図７】
2004053905.tif 000009
【図８】
2004053905.tif 000010
【図９】
2004053905.tif 000011